(57)【要約】【課題】地震時の液状化現象に伴う浮上防止を図る浸透構造のマンホール管の提供を図る。【解決手段】地震時の液状化現象に伴う浮上防止を図るための浸透構造のマンホール管１０であって、地中に埋設されるマンホール管の周壁部の一部を多孔質層の浸透コンクリート２２で形成する手段を採用する。また、浸透コンクリート２２の周壁部の形状がマンホール管の周壁部と同一の形状を成し、上面と下面の開口部を組み立て可能な段差構造とした手段を採用する。【選択図】図１
0003163120.tif 000002
【実用新案登録請求の範囲】
【請求項１】
地震時の液状化現象に伴う浮上防止を図る浸透構造のマンホール管であって、
地中に埋設されるマンホール管の周壁部の一部を多孔質層の浸透コンクリートで形成したことを特徴とする浸透構造のマンホール管。
【請求項２】
前記浸透構造のマンホール管において、浸透コンクリートで形成された周壁部の形状が、マンホール管の周壁部と同一の形状を成し、上面と下面の開口部を組み立て可能な段差構造としたことを特徴とする請求項１に記載の浸透構造のマンホール管。
【考案の詳細な説明】
【技術分野】
【０００１】
本考案は、浸透構造のマンホール管に関し、詳しくは、地盤の液状化による浮き上がり現象を防止する浸透構造のマンホール管に関するものである。
【背景技術】
【０００２】
従来より、地震の振動によって地下水位の高い砂地盤が液状化することで、地上では比重の重い構造物の埋没や倒壊が起こり、地中ではマンホール管・下水管・水道管・ガス管等の比重の軽い構造物が地上から露出してしまう浮き上がり現象が発生することが知られている。
【０００３】
本考案は、上記のマンホール管が地震時に地上から露出してしまう浮き上がり現象を防止するマンホール管に関するものであるが、従来の地震時の浮き上がり現象を防止するマンホール管においては、例えば、地震時に発生する高圧地下水を面状透水材や、マンホール管筒体外周面の凹溝によってマンホール管の周辺域に逃がす構造を有する「マンホール管の埋設構造」（特許文献１参照）や、マンホール管及びマンホール管の埋設構造」（特許文献２参照）などが提案されている。
【０００４】
しかしながら上記提案らは、マンホール管の周辺に発生する地震時の高圧地下水をマンホール管の周辺域に回避する構造を備える外に、該高圧地下水がマンホール管を浮き上げる力が及ばない場所を確保することはマンホール管のマンホール管の周辺域を掘削して土壌改良工事を広範囲に行なわなければならず、それに伴う工事費、人件費、材料費等の多大の工事コストを必要とするものであった。
【０００５】
また、マンホール管の周壁に外水流入用の通水孔と逆止弁を設け、さらにマンホール管の周囲に埋め戻し土砂を囲むジオテキスタイルを埋設した「マンホール」（特許文献３参照）が提案されている。
【０００６】
しかしながら上記提案は、通水孔の大きさがマンホール管の周壁面積に対して設置場所と孔の大きさが限定されて設けられるため、地震時に発生する液状化現象に伴う大量の高圧地下水を短時間内に捌き切ることができないため、マンホール管が地上から露出してしまう浮き上がり現象を完全に防止することできないものであった。
【０００７】
さらにまた、マンホール管の周囲を流動化処理土で囲み、下部の周囲に砂質土層を位置させた「マンホールの浮上抑制構造」（特許文献４参照）が提案されている。
【０００８】
しかしながら上記提案は、マンホール管を埋設する地盤の施工方法の提案であって、工業製品としての浮上抑制構造を備えたマンホール管の発明提案ではなかった。
【０００９】
【特許文献１】特開２００７−９２２９３号公報
【特許文献２】特開２００７−３９９４５公報
【特許文献３】特開平８−１７０３４９号公報
【特許文献４】特開２００９−４６８３９号公報
【考案の概要】
【考案が解決しようとする課題】
【００１０】
本考案は、上記問題点に鑑みてなされたものであって、地震による地盤の液状化による浮き上がり現象を防止するためのマンホール管を提供することを課題とするもので、本出願人は、浸透コンクリート桝を使った実験において地震時に発生する液状化現象に伴う大量の高圧地下水をマンホール管内に従来の１／３の所要時間で取り込むことができる実験結果をふまえて本出願に至るものである。
【課題を解決するための手段】
【００１１】
上記課題を解決するため、本考案は、地震時の液状化現象に伴う浮上防止を図る浸透構造のマンホール管であって、地中に埋設されるマンホール管の周壁部の一部を多孔質層の浸透コンクリートで形成した構成となっている。
【００１２】
また、本考案は、前記浸透構造のマンホール管において、浸透コンクリートで形成された周壁部の形状が、マンホール管の周壁部と同一の形状を成し、上面と下面の開口部を組み立て可能な段差構造とした構成を採用することも考え得る。
【考案の効果】
【００１３】
本考案にかかる浸透構造のマンホール管によれば、マンホール管の周壁部の一部を多孔質層の浸透コンクリートで形成することによって、地震時に発生する液状化現象に伴う大量の高圧地下水をマンホール管の周壁全体で取り込むことができるため、短い時間で大量の高圧地下水をマンホール管内に取り込むことが可能となり、地震時の液状化現象に伴うマンホール管の浮上防止が図れる優れた効果を奏する。
【００１４】
また、本考案にかかる浸透構造のマンホール管によれば、マンホール管の製造過程においてマンホール管の周壁部と浸透コンクリートの周壁部を同時に成型加工することができるため、製造コストの低廉ならびに製品形状の単純化が図れる優れた効果を奏する。
【００１５】
さらに、本考案にかかる浸透構造のマンホール管によれば、コンクリート管と浸透コンクリート管を一体成型とする手段と、コンクリート管と浸透コンクリート管とを別個に組み合わせる手段を任意に選択することができるため、浸透力を永く維持できると共に、特に組み合わせる手段を選択した場合，長年にわたって使用されて目詰まりした浸透コンクリート管を暫時交換して使用できる優れた効果を奏する。
【００１６】
またさらに、本考案にかかる浸透構造のマンホール管によれば、現場施工工事において大掛かりな周辺の土壌工事を必要としないため、施工工事の費用ならびに工事日程の短縮や人件費の抑制等の大幅なコスト削減が図れる優れた効果を奏する。
【図面の簡単な説明】
【００１７】
【図１】本考案にかかる浸透構造のマンホール管の請求項１記載の実施形態を示す全体図である。（実施例１）
【図２】本考案にかかる浸透構造のマンホール管の請求項１記載の施工状態を示す説明図である。（実施例２）
【図３】本考案にかかる浸透構造のマンホール管の請求項２記載の実施形態を示す全体図である。（実施例３）
【図４】本考案にかかる浸透構造のマンホール管の浸透実験状況を示す説明図である。（実施例４）
【図５】本考案にかかる浸透構造のマンホール管の浸透実験状況を示す説明図である。（実施例５）
【図６】本考案にかかる浸透構造のマンホール管の浸透実験結果を示す説明図である。（実施例６）
【考案を実施するための形態】
【００１８】
本考案は、地震時の液状化現象に伴う浮上防止を図る浸透構造のマンホール管であって、地中に埋設されるマンホール管の周壁部の一部を多孔質層の浸透コンクリートで形成した手段を採用したことを最大の特徴とする。以下、本考案にかかる浸透構造のマンホール管の実施形態を、図面に基づき説明する。
【００１９】
なお、本考案にかかる浸透構造のマンホール管は、寸法、形状、材質等において下記の実施例に特に限定されることなく、本出願の要旨に逸脱しない範囲で任意に変更することができる。
【実施例１】
【００２０】
図１は、本考案にかかる浸透構造のマンホール管の請求項１記載の実施形態を示す全体図であり、図１（ａ）は斜視図、図１（ｂ）は側断面図を示している。
本考案におけるマンホール管１０は、地震時の液状化現象に伴う浮上防止を図る浸透構造のマンホール管であって、地中に埋設されるコンクリート管２４の周壁部２０の一部を多孔質層の浸透コンクリート２２で形成されている。
【００２１】
製品寸法は、例えば、外径１１００ｍｍ、内径９００ｍｍ、高さ１０２５ｍｍで製品化され、コンクリート管２４の周壁部２０と同一形状の高さ約３００ｍｍの多孔質層の浸透コンクリート２２を、一体成型して構成される。
【００２２】
多孔質層の浸透コンクリート２２は、設置される土壌の水分含有量の状態に合わせて製造段階で任意に高さを設定することができるもので、通常の施工状態は、図２に示すように、コンクリート管２４と、斜壁マンホール管２５と、鋳鉄製のマンホール蓋Ｃとが組み合わされて地中に埋設されて施工される。
【実施例２】
【００２３】
図２は、本考案にかかる浸透構造のマンホール管の請求項１記載の施工状態を示す説明図である。
浸透コンクリート２２は、図面に示すように、ＨＰ管Ｅが連接されたコンクリート管２４と、斜壁マンホール管２５と、鋳鉄製のマンホール蓋Ｃとが組み合わされて地中に埋設される。
【００２４】
浸透コンクリート２２の周辺には、目詰まり防止用として礫材層Ｋを施して埋め戻すことが望ましく、従来工法のように液状化現象に伴う浮上防止を図る大量の流動化処理土を埋め戻す工事は特に必要としない。
【実施例３】
【００２５】
図３は、本考案にかかる浸透構造のマンホール管の請求項２に記載の実施形態を示す全体図であり、図３（ａ）は全体斜視図、図３（ｂ）は側断面図を示している。
浸透コンクリート管２３の周壁部２０の形状が、コンクリート管２４の周壁部２０と同一の形状を成し、連結部を上面と下面の開口部２９を組み立て可能な段差２１構造として形成される。
【００２６】
本考案にかかる浸透構造のマンホール管１０は、コンクリート管２４と浸透コンクリート管２３を上面と下面の開口部２９に連結用の段差２１によって組み合わせることができるもので、地質の状態や地下水が溜まり易い箇所に合わせて任意に組み立てて使用することができるものである。
【００２７】
全体寸法は、例えば、外径１１００ｍｍ、内径９００ｍｍ、高さ１０２５ｍｍで製品化され、コンクリート管２４の高さ４２５ｍｍ、浸透コンクリート２２の高さ３００ｍｍ、さらにコンクリート管２４の高さ３００ｍｍで組み合わされ、周壁部２０は同一形状を有して構成される。
【００２８】
段差２１は、上面と下面の開口部２９に設けられ、その形状は、組み立て可能で横方向にスライド移動が制限される構造であれば特に限定されるものではないが、例えば、凹凸部による相互嵌め込み方式や、アンカーとアンカー孔による接続貫入方式や、連結プレート板による締付連結方式などが考えられる。
【実施例４】
【００２９】
図４は、本考案にかかる浸透構造のマンホール管の浸透実験状況を示す説明図であり、図４（ａ）は浸透コンクリート桝３０を示し、図４（ｂ）は有孔コンクリート桝４０を示している。
《使用製品》
浸透コンクリート桝３０は、幅４５０ｍｍ×奥行き４５０ｍｍ×高さ３００ｍｍの寸法形状を成し、有孔コンクリート桝４０は、幅４５０ｍｍ×奥行き４５０ｍｍ×高さ３００ｍｍの寸法形状を成し、その２種類のコンクリート雨水桝を使って実験対象とする。
【００３０】
《実験目的》
浸透コンクリート桝３０と有孔コンクリート桝４０の透水能力の計測（設計水頭）、ゴミ・落ち葉土壌等が溜まった時（目詰まり）の透水能力の変化を計測する。
【００３１】
《計測方法》
実験対象の浸透コンクリート桝３０と有孔コンクリート桝４０内に清水Ｗを注水し、時間の変化に伴う雨水桝内の設計水頭高さＨを計測する。
【００３２】
底面は、止水板４２によって浸透を遮断し、周壁部２０のみの浸透の状況を比較計測するもので、一定時間後の設計水頭の高さＨの差によって、浸透能力を判断する。
【実施例５】
【００３３】
図５は、本考案にかかる浸透構造のマンホール管の浸透実験状況を示す説明図であり、図５（ａ）は浸透コンクリート桝３０の場合を示している。
《実験状況》
清水の注水と同時に、浸透コンクリート桝３０の周壁部２０からジワジワと浸透が始まり、一定量貯留以上は増加しない。
【００３４】
図５（ｂ）は有孔コンクリート桝４０の場合を示している。
《実験状況》
清水Ｗが有孔４１位置まで溜まるまで時間を要し、有孔コンクリート桝４０の底部に近い有孔４１の下端部から、徐々に注水した清水Ｗが漏れ始める。一定時間経過すると、複数の有孔４１から貯留した清水Ｗが漏れ始め、ある程度貯留した状態からは増加しない。
【実施例６】
【００３５】
図６は、本考案にかかる浸透構造のマンホール管の浸透実験結果を示す説明図であり、図６（ａ）は実験数値表、図６（ｂ）は実験数値グラフを示している。
図に示す実験数値表と実験数値グラフから評価すると、浸透コンクリート桝３０が、有孔コンクリート桝４０と比較して、総合的に設計水頭の高さＨが低く約１／３の所要時間で安定した浸透力が得られる結果が得られた。
【００３６】
個別の評価内容として、有孔コンクリート桝４０は、外周がコンクリートで覆われているため有孔４１部しか水の逃げ道が無く、初期浸透が始まるには注水後約２分の時間を要するに対し、浸透コンクリート桝３０は、初期浸透が約１０〜３０秒後に浸透し始まり、その後も安定した高い浸透力を保つ結果が得られる。
【００３７】
結論的には、地盤の液状化による浮き上がり現象を防止する浸透構造のマンホール管１０に関する従来の手段と比較して、本考案にかかる浸透構造のマンホール管１０の周壁部２０の一部を多孔質層の浸透コンクリート２２で形成する手段は、急激な大雨や地盤の液状化現象に対して有効なマンホール管の提供ができるものと判断される。
【産業上の利用可能性】
【００３８】
本考案は、マンホール管における周壁部の一部を多孔質層の浸透コンクリートで形成する構成を採用することで、マンホール管として使用されるばかりではなく、地中に埋設される雨水処理コンクリートの二次製品として幅広く利用できるものであり、本考案にかかる浸透構造のマンホール管の産業上の利用可能性は極めて高いものと解する。
【符号の説明】
【００３９】
１０    浸透構造のマンホール管
２０    周壁部
２１    段差
２２    浸透コンクリート
２３    浸透コンクリート管
２４    コンクリート管
２５    斜壁マンホール管
２６    底板リング
２７    階段ステップ
２８    内径周壁部
２９    開口部
３０    浸透コンクリート桝
４０    有孔コンクリート桝
４１    有孔部
４２    止水板
Ｈ    設計水頭高さ
Ｋ    礫材層
Ｍ    高圧地下水
Ｅ    ＨＰ管
Ｃ    マンホール蓋
Ｇ    地盤土壌
Ｗ    清水
Ｔ    埋め戻し土
【図６】
0003163120.tif 000003
【図１】
0003163120.tif 000004
【図２】
0003163120.tif 000005
【図３】
0003163120.tif 000006
【図４】
0003163120.tif 000007
【図５】
0003163120.tif 000008